(57)【要約】【課題】フィールド反転の発生を抑制し、安定した素子分離を実現できる半導体装置を提供する。【解決手段】低電圧素子を有する低電圧素子領域２を含むエピタキシャル基板４５と、低電圧素子領域２を区画するようにエピタキシャル基板４５の表層部に形成された素子分離ウェル７と、素子分離ウェル７を覆うようにエピタキシャル基板４５の上に形成されたフィールド絶縁膜１０と、エピタキシャル基板４５の上に形成された第１〜第４層間絶縁膜２１，２５，２７，３６と、平面視において低電圧素子領域２を横切るように第４層間絶縁膜３６の上に形成された高電圧配線３０と、フィールド絶縁膜１０において高電圧配線３０と対向する領域を横切るようにフィールド絶縁膜１０の上に形成され、素子分離ウェル７の幅以下の幅を有する導体膜１１と、を含む。【選択図】図２
2018011089.tif 000002
【特許請求の範囲】
【請求項１】
半導体素子を有する素子領域を含む半導体層と、
前記素子領域を区画するように前記半導体層の表層部に形成された素子分離ウェルと、
前記素子分離ウェルを覆うように前記半導体層の上に形成されたフィールド絶縁膜と、
前記半導体層の上に形成された層間絶縁膜と、
平面視において前記素子領域を横切るように前記層間絶縁膜の上に形成された配線と、
前記フィールド絶縁膜において前記配線と対向する領域を横切るように前記フィールド絶縁膜の上に形成され、前記素子分離ウェルの幅以下の幅を有する導体膜と、を含む、半導体装置。
【請求項２】
前記素子領域は、低基準電圧を基準に動作する低電圧素子が形成された低電圧素子領域、および、前記低基準電圧よりも高い高基準電圧を基準に動作する高電圧素子が形成された高電圧素子領域を含み、
前記素子分離ウェルは、前記低電圧素子領域および前記高電圧素子領域を互いに電気的に分離するように、前記低電圧素子領域および前記高電圧素子領域を区画している、請求項１に記載の半導体装置。
【請求項３】
前記導体膜が、前記低基準電圧に固定されている、請求項２に記載の半導体装置。
【請求項４】
前記配線は、前記低電圧素子に電気的に接続された低電圧配線を含み、
前記導体膜は、前記フィールド絶縁膜において前記低電圧配線と対向する領域を横切っている、請求項２または３に記載の半導体装置。
【請求項５】
前記配線は、前記高電圧素子に電気的に接続された高電圧配線を含み、
前記導体膜は、前記フィールド絶縁膜において前記高電圧配線と対向する領域を横切っている、請求項２〜４のいずれか一項に記載の半導体装置。
【請求項６】
前記低電圧素子領域には、前記低電圧素子としてのＭＯＳトランジスタが形成されており、
前記導体膜は、前記ＭＯＳトランジスタのソースと同電位を成している、請求項２〜５のいずれか一項に記載の半導体装置。
【請求項７】
前記導体膜が、前記ＭＯＳトランジスタのゲートと同種の材料によって形成されている、請求項６に記載の半導体装置。
【請求項８】
前記ゲートは、ポリシリコンからなる、請求項７に記載の半導体装置。
【請求項９】
前記配線は、平面視において前記素子分離ウェルと交差する交差部を含み、
前記配線が前記交差部で前記素子分離ウェルと交差する方向に関して、前記導体膜の長さが前記交差部の長さ以下である、請求項１〜８のいずれか一項に記載の半導体装置。
【請求項１０】
前記配線は、平面視において前記素子分離ウェルと交差する交差部を含み、
前記素子分離ウェルが前記交差部で前記配線と交差する方向に関して、前記導体膜の長さが前記交差部の長さ以上である、請求項１〜８のいずれか一項に記載の半導体装置。
【請求項１１】
前記素子分離ウェルが、前記素子領域の周縁に沿う帯状に形成されており、
前記フィールド絶縁膜が、前記素子領域の周縁に沿う帯状に形成されており、
前記導体膜が、前記素子領域の周縁に沿う帯状に形成されている、請求項１〜１０のいずれか一項に記載の半導体装置。
【請求項１２】
前記素子分離ウェルが、前記素子領域を取り囲む環状に形成されており、
前記フィールド絶縁膜が、前記素子領域を取り囲む環状に形成されており、
前記導体膜が、前記素子領域を取り囲む環状に形成されている、請求項１〜１１のいずれか一項に記載の半導体装置。
【請求項１３】
前記層間絶縁膜が配線層を含み、
前記導体膜が、前記配線層に配置された配線膜によって形成されている、請求項１〜１２のいずれか一項に記載の半導体装置。
【請求項１４】
低基準電圧で動作する低電圧素子を有する低電圧素子領域、および、前記低基準電圧よりも高い高基準電圧で動作する高電圧素子を有する高電圧素子領域を含む半導体層と、
前記低電圧素子領域および前記高電圧素子領域を電気的に分離するように前記半導体層の表層部に形成された素子分離ウェルと、
前記素子分離ウェルを覆うように前記半導体層の上に形成されたフィールド絶縁膜と、
前記半導体層の上に形成された層間絶縁膜と、
前記層間絶縁膜の上に形成され、前記高電圧素子領域に電気的に接続された配線と、
前記層間絶縁膜および前記フィールド絶縁膜の間に形成され、前記フィールド絶縁膜を挟んで前記素子分離ウェルに対向する導体膜と、を含む、半導体装置。
【請求項１５】
前記低電圧素子は、ゲート電極を有するＭＯＳトランジスタを含み、
前記導体膜は、前記ＭＯＳトランジスタの前記ゲート電極と同種の材料によって形成されている、請求項１４に記載の半導体装置。
【請求項１６】
前記低電圧素子領域において前記半導体層の上に形成された第２フィールド絶縁膜をさらに含み、
前記導体膜は、前記低電圧素子領域外の領域において前記フィールド絶縁膜の上に形成されており、
前記ゲート電極は、前記低電圧素子領域において前記第２フィールド絶縁膜の上に形成されている、請求項１５に記載の半導体装置。
【請求項１７】
前記導体膜は、前記フィールド絶縁膜と接している、請求項１４〜１６のいずれか一項に記載の半導体装置。
【発明の詳細な説明】
【技術分野】
【０００１】
本発明は、半導体装置に関する。
【背景技術】
【０００２】
特許文献１は、素子形成領域を分離するｐ型ウェル領域と、素子形成領域に形成されたＤＭＯＳトランジスタを含む半導体装置を開示している。半導体装置は、ｐ型のシリコン基板と、シリコン基板の表面に選択的に形成され、フィールド酸化膜により互いに素子分離されたｎ型のソース領域とドレイン領域と、ゲート酸化膜を介してシリコン基板上に形成されたゲート電極とを含む。ｐ型ウェル領域上には、フィールド酸化膜が形成されている。
【先行技術文献】
【特許文献】
【０００３】
【特許文献１】特開２０１２−１５６２０５号公報
【発明の概要】
【発明が解決しようとする課題】
【０００４】
特許文献１のように素子分離構造を有する半導体装置では、ＤＭＯＳトランジスタは、他の素子と混載されることがある。このような半導体装置では、ＤＭＯＳトランジスタに電気的に接続される配線だけでなく、他の素子に電気的に接続される配線が複数形成される。そして、複数の配線には、各素子に合わせた様々な電圧が印加されることとなる。
ここで、配線がフィールド絶縁膜の近くを通過していたり、フィールド絶縁膜と交差していたりすると、配線からの電界により半導体基板中の陰イオンがフィールド絶縁膜直下の領域（すなわち、素子形成領域を分離するｐ型ウェル領域の表面）に引き寄せられて、ｐ型ウェル領域でフィールド反転が生じる。そのため、フィールド反転した領域がリークパスとなってリーク電流が発生し、素子分離不良が生じる。配線からの電界によるこのようなリーク電流の発生は、配線に印加される電圧が高くなるにつれてより顕著となる。
【０００５】
この問題を回避するため、配線に印加される電圧に応じて、フィールド絶縁膜から一定の距離を空けて配線を形成するという設計規則を作り、それに従ってデバイス設計を行うこともできる。しかしながら、この方法では半導体チップ面積を有効に活用することができないばかりか、半導体チップの高シュリンク化の妨げになる。
そこで、本発明の一実施形態は、フィールド反転の発生を抑制し、安定した素子分離を実現できる半導体装置を提供することを一つの目的とする。
【課題を解決するための手段】
【０００６】
本発明の一実施形態は、半導体素子を有する素子領域を含む半導体層と、前記素子領域を区画するように前記半導体層の表層部に形成された素子分離ウェルと、前記素子分離ウェルを覆うように前記半導体層の上に形成されたフィールド絶縁膜と、前記半導体層の上に形成された層間絶縁膜と、平面視において前記素子領域を横切るように前記層間絶縁膜の上に形成された配線と、前記フィールド絶縁膜において前記配線と対向する領域を横切るように前記フィールド絶縁膜の上に形成され、前記素子分離ウェルの幅以下の幅を有する導体膜と、を含む、半導体装置を提供する。
【０００７】
この構成によれば、配線からの電界による影響を導体膜によって軽減することができる。具体的には、一定の電位に固定された導体膜が素子分離ウェルよりも配線に近い位置に配置されているので、配線からの電界を、導体膜によって効果的に終端させることができる。これにより、配線からの電界によって素子分離ウェル中のイオンがフィールド絶縁膜の直下の領域に引き寄せられてフィールド反転が発生することを抑制することができる。その結果、素子分離ウェルを横切るリークパスが形成されてリーク電流が発生することを抑制できるので、安定した素子分離を実現できる半導体装置を提供することができる。  本発明の一実施形態は、低基準電圧で動作する低電圧素子を有する低電圧素子領域、および、前記低基準電圧よりも高い高基準電圧で動作する高電圧素子を有する高電圧素子領域を含む半導体層と、前記低電圧素子領域および前記高電圧素子領域を電気的に分離するように前記半導体層の表層部に形成された素子分離ウェルと、前記素子分離ウェルを覆うように前記半導体層の上に形成されたフィールド絶縁膜と、前記半導体層の上に形成された層間絶縁膜と、前記層間絶縁膜の上に形成され、前記高電圧素子領域に電気的に接続された配線と、前記層間絶縁膜および前記フィールド絶縁膜の間に形成され、前記フィールド絶縁膜を挟んで前記素子分離ウェルに対向する導体膜と、を含む、半導体装置を提供する。
【０００８】
この構成によれば、配線からの電界による影響を導体膜によって軽減することができる。具体的には、一定の電位に固定された導体膜が素子分離ウェルよりも配線に近い位置に配置されているので、配線からの電界を、導体膜によって効果的に終端させることができる。これにより、配線からの電界によって素子分離ウェル中のイオンがフィールド絶縁膜の直下の領域に引き寄せられてフィールド反転が発生することを抑制することができる。その結果、素子分離ウェルを横切るリークパスが形成されてリーク電流が発生することを抑制できるので、安定した素子分離を実現できる半導体装置を提供することができる。
【図面の簡単な説明】
【０００９】
【図１】図１は、本発明の第１実施形態に係る半導体装置の模式的な平面図である。
【図２】図２は、図１の切断面線II−IIから見た断面図である。
【図３Ａ】図３Ａは、図１の導体膜のレイアウトの一例を示す拡大平面図である。
【図３Ｂ】図３Ｂは、図１の導体膜のレイアウトの一例を示す拡大平面図である。
【図３Ｃ】図３Ｃは、図１の導体膜のレイアウトの一例を示す拡大平面図である。
【図４Ａ】図４Ａは、図１の半導体装置の製造工程の一例を説明するための断面図である。
【図４Ｂ】図４Ｂは、図４Ａの次の製造工程を示す図である。
【図４Ｃ】図４Ｃは、図４Ｂの次の製造工程を示す図である。
【図４Ｄ】図４Ｄは、図４Ｃの次の製造工程を示す図である。
【図４Ｅ】図４Ｅは、図４Ｄの次の製造工程を示す図である。
【図４Ｆ】図４Ｆは、図４Ｅの次の製造工程を示す図である。
【図４Ｇ】図４Ｇは、図４Ｆの次の製造工程を示す図である。
【図４Ｈ】図４Ｈは、図４Ｇの次の製造工程を示す図である。
【図５】図５は、本発明の第２実施形態に係る半導体装置の模式的な断面図である。
【図６】図６は、本発明の第３実施形態に係る半導体装置の模式的な平面図である。
【図７】図７は、本発明の第４実施形態に係る半導体装置の模式的な平面図である。
【発明を実施するための形態】
【００１０】
以下では、本発明の実施の形態を、添付図面を参照して詳細に説明する。
図１は、本発明の第１実施形態に係る半導体装置１の模式的な平面図である。また、図２は、図１の切断面線II−IIから見た断面図である。
半導体装置１は、半導体層の一例としてのエピタキシャル基板４５と、エピタキシャル基板４５の表層部に、電気的にフローティングされた素子形成領域の一例としての低電圧素子領域２を区画する素子分離ウェル７とを含む。
【００１１】
より具体的には、エピタキシャル基板４５はｐ型のシリコン基板４および当該シリコン基板４上に形成されたｎ−型エピタキシャル層５を含んでいて、平面視で閉曲線を描く帯状のｐ型の素子分離ウェル７が、ｎ−型エピタキシャル層５の表面からシリコン基板４に達するように形成されている。ｎ−型エピタキシャル層５の層厚は、たとえば、５．０μｍ〜１０μｍである。
【００１２】
この素子分離ウェル７は、この実施形態では、図１に示すように平面視で四角環状に形成されているが、たとえば、円環状、三角環状等の他の閉曲線構造であってもよい。また、素子分離ウェル７は、上側に配置されたｐ＋型ウェル領域８と、下側に配置されたｐ−型ローアイソレーション（Ｌ／Ｉ）領域９との２層構造からなり、これらの領域８，９の境界がｎ−型エピタキシャル層５の厚さ方向途中部に設定されている。たとえば、領域８，９の境界は、エピタキシャル層５の表面から１．０μｍ〜２．０μｍの深さ位置に設定されている。
【００１３】
これにより、エピタキシャル基板４５には、シリコン基板４上において素子分離ウェル７によって取り囲まれたｎ−型エピタキシャル層５の一部からなる低電圧素子領域２が区画されている。
この低電圧素子領域２には、ｎ＋型の埋め込み層（Ｂ／Ｌ）６が選択的に形成されている。埋め込み層６は、エピタキシャル基板４５において、シリコン基板４とｎ−型エピタキシャル層５との境界を跨ぐように形成されている。埋め込み層６の膜厚は、たとえば、２．０μｍ〜３．０μｍである。
【００１４】
また、エピタキシャル基板４５において、低電圧素子領域２の外周領域には、低電圧素子領域２と同じく電気的にフローティングされた素子形成領域の一例としての高電圧素子領域３が区画されている。高電圧素子領域３は、素子分離ウェル７を隔てて低電圧素子領域２と隣接して形成されていてもよいし、図１に示すように、低電圧素子領域２から離れた領域において、図示しない素子分離構造（たとえば、素子分離ウェル７と同様のウェル）によって形成されていてもよい。
【００１５】
なお、低電圧素子領域２は、低基準電圧を基準に動作する領域であり、たとえば、５Ｖ〜１００Ｖ程度の電圧が印加される。また、高電圧素子領域３は、たとえば、４００Ｖ〜６００Ｖ程度の高電圧が印加される。
素子分離ウェル７の表面には、閉曲線を描く帯状のフィールド絶縁膜１０が形成されている。フィールド絶縁膜１０は、素子分離ウェル７と同様に、低電圧素子領域２の周囲を取り囲むように平面視で四角環状に形成されている。フィールド絶縁膜１０は、素子分離ウェル７よりも幅広で、素子分離ウェル７を完全に覆うように形成されている。フィールド絶縁膜１０は、たとえば、ｎ−型エピタキシャル層５の表面を選択的に酸化させて形成したＬＯＣＯＳ膜である。
【００１６】
フィールド絶縁膜１０上には、フィールド絶縁膜１０を介して素子分離ウェル７と対向する導体膜１１が形成されている。導体膜１１は、素子分離ウェル７と同様に、閉曲線を描く帯状に形成されている。すなわち、導体膜１１は、低電圧素子領域２の周囲を取り囲むように平面視で四角環状に形成されている。導体膜１１は、たとえば、ポリシリコン、アルミニウム等の導電材料を含み、その膜厚は、たとえば、０．４μｍ〜１．０μｍである。導体膜１１は、たとえば、後述する第１層間絶縁膜２１、第２層間絶縁膜２５等の層間絶縁膜上に形成された配線を介して、一定の電位に固定されている。この実施形態では、導体膜１１は、グランド電位に固定されている。この場合、導体膜１１は、後述するソース配線２９に接続することによって、グランド電位に固定することができる。
【００１７】
低電圧素子領域２には、ＤＭＯＳ（Double-Diffused MOSFET）３５が形成されている。
ＤＭＯＳ３５は、ｎ−型エピタキシャル層５の表面に、互いに間隔を空けて形成されたｎ−型ウェル領域１３とｐ−型ウェル領域１５とを含む。ｎ−型ウェル領域１３は、ｐ−型ウェル領域１５を取り囲むように、フィールド絶縁膜１０に沿って平面視環状に形成されている。
【００１８】
ｎ−型ウェル領域１３の表面には、ｎ−型ウェル領域１３よりも高い不純物濃度を有するｎ＋型ドレイン領域１４が形成されている。また、ｐ−型ウェル領域１５の表面には、ｐ−型ウェル領域１５よりも高い不純物濃度を有するｐ＋型不純物領域１６を取り囲むようにｎ＋型ソース領域１７が形成されている。
ｎ＋型ソース領域１７の外周縁は、ｐ−型ウェル領域１５の外周縁から内側に一定の距離を空けた位置に配置されている。ｎ＋型ソース領域１７は、たとえば、ｎ＋型ドレイン領域１４と同一濃度および同一深さで形成されている。また、ｐ＋型不純物領域１６は、ｎ＋型ソース領域１７と同一深さで形成されている。
【００１９】
ｎ−型エピタキシャル層５の表面には、ｎ−型ウェル領域１３とｐ−型ウェル領域１５との間の部分に、環状のフィールド絶縁膜１２が形成されている。フィールド絶縁膜１２は、前述のフィールド絶縁膜１０と同一工程で平面視四角環状に形成されたＬＯＣＯＳ膜である。
フィールド絶縁膜１２の外周縁は、ｎ＋型ドレイン領域１４の周縁上に配置され、フィールド絶縁膜１２の内周縁は、ｐ−型ウェル領域１５の外周縁から外側に一定の間隔を空けた位置に配置されている。ｎ＋型ドレイン領域１４は、フィールド絶縁膜１２の外周縁とフィールド絶縁膜１０とによって挟まれた領域に形成されている。
【００２０】
また、ｎ−型エピタキシャル層５の表面には、ｎ−型エピタキシャル層５とｐ−型ウェル領域１５との間に跨るようにゲート絶縁膜１８が形成されている。そして、ゲート絶縁膜１８を介してゲート電極１９が形成されている。ゲート電極１９は、ゲート絶縁膜１８の一部およびフィールド絶縁膜１２の一部を選択的に覆うように形成されている。
ゲート電極１９は、たとえば、前述の導体膜１１と同一材料および同一の膜厚で形成されている。ゲート絶縁膜１８は、たとえば、ｎ−型エピタキシャル層５の表面を酸化させて形成したシリコン酸化膜である。
【００２１】
ゲート電極１９がゲート絶縁膜１８を介してｐ−型ウェル領域１５と対向する領域が、ＤＭＯＳ３５のチャネル領域２０である。チャネル領域２０のチャネルの形成は、ゲート電極１９によって制御されている。
そして、低電圧素子領域２全体を覆うように第１〜第４層間絶縁膜２１，２５，２７，３６が形成されている。第１〜第４層間絶縁膜２１，２５，２７，３６は、たとえば、酸化膜、窒化膜等の絶縁膜によって形成されている。なお、この実施形態では、第１〜第４層間絶縁膜２１，２５，２７，３６が形成されているが、第４層間絶縁膜３６の上層にさらに第５、第６またはそれ以上の層間絶縁膜が形成された構成であってもよい。
【００２２】
第１層間絶縁膜２１には、低電圧用コンタクト２３，２４が形成されている。低電圧用コンタクト２３，２４は、第１層間絶縁膜２１を貫通して形成されたドレイン用コンタクト２３と、ソース用コンタクト２４とを含む。以下では、ドレイン用コンタクト２３およびソース用コンタクト２４をまとめて低電圧用コンタクト２３，２４ということがある。ドレイン用コンタクト２３は、ｎ＋型ドレイン領域１４と電気的に接続され、ソース用コンタクト２４は、ｐ＋型不純物領域１６およびｎ＋型ソース領域１７と電気的に接続されている。低電圧用コンタクトは、ゲート電極１９に電気的に接続された図示しないゲート用コンタクトを含んでいてもよい。
【００２３】
第１層間絶縁膜２１上には、低電圧用コンタクト２３，２４を覆うように第２層間絶縁膜２５と第３層間絶縁膜２７とがこの順に形成されている。そして、第３層間絶縁膜２７上には、低電圧用コンタクト２３，２４と電気的に接続された配線の一例としての低電圧配線２８，２９が選択的に形成されている。
低電圧配線２８，２９は、図１に示すようにドレイン配線２８と、ソース配線２９とを含む。以下では、ドレイン配線２８およびソース配線２９をまとめて低電圧配線２８，２９ということがある。ドレイン配線２８は、ドレイン用コンタクト２３を介してｎ＋型ドレイン領域１４と電気的に接続され、ソース配線２９は、ソース用コンタクト２４を介してｎ＋型ソース領域１７と電気的に接続されている。低電圧配線は、ゲート用コンタクトを介してゲート電極１９に電気的に接続される図示しないゲート配線を含んでいてもよい。
【００２４】
ドレイン配線２８およびソース配線２９は、この実施形態では、外周領域から素子分離ウェル７を幅方向に横切って、ドレイン用コンタクト２３およびソース用コンタクト２４上に引き回され、当該コンタクト２３，２４にそれぞれ接続されている。
ソース配線２９は、一定の電位、たとえばグランド電位に固定されることが好ましい。ソース配線２９は、たとえば、導体膜１１に接続されていてもよい。また、ドレイン配線２８には、たとえば、５Ｖ〜１００Ｖ程度の電圧が印加され、ゲート配線（図示せず）には、たとえば、０Ｖ〜３０Ｖ程度の電圧が印加される。このように、低電圧配線は比較的に低い電圧が印加される低圧配線である。そして、第３層間絶縁膜２７上に形成された低電圧配線２８，２９を覆うように、第４層間絶縁膜３６が第３層間絶縁膜２７上に形成されている。
【００２５】
第４層間絶縁膜３６上には、配線の一例としての高電圧配線３０が形成されている。高電圧配線３０は、低電圧配線２８，２９よりも比較的に高い電圧（たとえば、４００Ｖ〜６００Ｖ）が印加される高圧配線である。高電圧配線３０は、この実施形態では、低電圧素子領域２を二分割するように素子分離ウェル７を幅方向に横切る直線状に形成されており、高電圧素子領域３の各部（たとえば、図示しない高電圧素子領域３のドレインコンタクト等）に接続されている。
【００２６】
次に、図３Ａ〜図３Ｃを参照して、導体膜１１のレイアウトについて、より具体的に説明する。図３Ａ〜図３Ｃは、図１の導体膜１１のレイアウトの一例を示す拡大平面図である。
図３Ａのレイアウトを参照すれば、導体膜１１は、素子分離ウェル７と高電圧配線３０とが交差する交差部３１とフィールド絶縁膜１０との間に介在している。このとき、フィールド絶縁膜１０の幅Ｗ１は、たとえば、５．０μｍ〜１０μｍである。また、導体膜１１の幅Ｗ２は、フィールド絶縁膜１０の幅Ｗ１よりも幅狭に形成されており、たとえば、２．０μｍ〜３．０μｍである。
【００２７】
素子分離ウェル７が交差部３１で高電圧配線３０と交差する方向（素子分離ウェル７の延びる方向）に関して、導体膜１１の長さは、当該交差部３１の長さＬ１以上に形成されている。
高電圧配線３０が交差部３１で素子分離ウェル７と交差する方向（高電圧配線３０の延びる方向）に関して、導体膜１１の長さ（つまり、導体膜１１の幅Ｗ２）は、交差部３１の長さＬ２よりも短い（すなわち、Ｗ２＜Ｌ２）。換言すれば、導体膜１１は、導体膜１１と高電圧配線３０とが交差する交差部３４の面積Ｓ１（この実施形態では、Ｗ２×Ｌ１）が、素子分離ウェル７と高電圧配線３０とが交差する交差部３１の面積Ｓ２（この実施形態では、Ｌ１×Ｌ２）よりも小さく（すなわち、Ｓ１＜Ｓ２）なるように形成されている。
【００２８】
次に、図３Ｂのレイアウトを参照すれば、導体膜１１の幅Ｗ２は、前述の図３Ａの場合と異なり、高電圧配線３０の延びる方向に関して、フィールド絶縁膜１０の内側の領域に、交差部３１の長さＬ２以上（すなわち、Ｗ２≧Ｌ２）に形成されている。このとき、導体膜１１の幅Ｗ２は、フィールド絶縁膜１０の幅Ｗ１とほぼ等しくなるように形成されていてもよい。
【００２９】
また、導体膜１１は、導体膜１１と高電圧配線３０とが交差する交差部３４の面積Ｓ１（この実施形態では、Ｗ２×Ｌ１）が、素子分離ウェル７と高電圧配線３０とが交差する交差部３１の面積Ｓ２（この実施形態では、Ｌ１×Ｌ２）以上（すなわち、Ｓ１≧Ｓ２）になるように形成されていることが好ましい。このような構成であれば、導体膜１１は、フィールド絶縁膜１０を介して素子分離ウェル７が形成された領域を確実、かつ完全に覆うことができる。
【００３０】
次に、図３Ｃのレイアウトを参照すれば、導体膜１１は、閉曲線を描く帯状に形成されておらず、高電圧配線３０と素子分離ウェル７とが交差する領域およびその周辺部にのみ形成されている点で前述の図３Ａおよび図３Ｂと異なる。
この場合、導体膜１１は、素子分離ウェル７の延びる方向に関して、導体膜１１の長さＬ３が交差部３１の長さＬ１以上（Ｌ３≧Ｌ１）になるように形成されていることが好ましい。また、図３Ｃでは、導体膜１１の幅Ｗ２は、高電圧配線３０の延びる方向に関して、交差部３１の長さＬ２以下（すなわち、Ｗ２≦Ｌ２）に形成されている構成を示しているが、図３Ｂの場合と同様に、交差部３１の長さＬ２以上（すなわち、Ｗ２≧Ｌ２）に形成されていることが好ましい。
【００３１】
つまり、導体膜１１が形成される領域の面積Ｓ３（この実施形態では、Ｗ２×Ｌ３）は、図３Ｃに示すように導体膜１１と高電圧配線３０との交差部３４の面積Ｓ１（この実施形態では、Ｗ２×Ｌ１）よりも大きく形成されていることが好ましい。このような構成であれば、高電圧配線３０直下の素子分離ウェル７だけでなく、高電圧配線３０から離れた領域に位置する素子分離ウェル７も確実に覆うことができる。導体膜１１が形成される領域の面積Ｓ３（この実施形態では、Ｗ２×Ｌ３）は、交差部３４の面積Ｓ１（この実施形態では、Ｗ１×Ｌ１）と同面積（すなわちＳ１＝Ｓ３）であってもよいし、交差部３１の面積Ｓ２（この実施形態では、Ｌ１×Ｌ２）と同面積（すなわちＳ２＝Ｓ３）であってもよい。
【００３２】
なお、図３Ａ〜図３Ｃでは、高電圧配線３０および導体膜１１のレイアウトの一例を示したが、これらのレイアウトは、高電圧配線３０に限定されるものではなく、たとえば、低電圧配線２８，２９にも適用できる。
このように、半導体装置１では、高電圧配線３０と低電圧配線２８，２９とが素子分離ウェル７と交差している。したがって、各配線２８，２９，３０と素子分離ウェル７とが交差していない場合に比べて、素子分離ウェル７と各配線２８，２９，３０との距離は近くなる。さらに、高電圧配線３０は、低電圧配線２８，２９よりも高い電圧が印加されるため、低電圧配線２８，２９よりも相対的に高い電界が発生する。したがって、このような構造の下では、フィールド絶縁膜１０の直下の領域、すなわち、素子分離ウェル７においてフィールド反転が比較的に生じやすい。
【００３３】
しかし、半導体装置１によれば、低電圧配線２８，２９および高電圧配線３０からの電界による影響を導体膜１１によって軽減することができる。具体的には、グランド電位に固定された導体膜１１が素子分離ウェル７よりも低電圧配線２８，２９および高電圧配線３０に近い位置に配置されているので、高電圧配線３０および低電圧配線２８，２９の両方からの電界を、導体膜１１によって効果的に終端させることができる。
【００３４】
これにより、低電圧配線２８，２９および高電圧配線３０の両方からの電界によって素子分離ウェル７中のイオンがフィールド絶縁膜１０の直下の領域に引き寄せられてフィールド反転が発生することを抑制することができる。その結果、素子分離ウェル７を横切るリークパスが形成されてリーク電流が発生することを抑制できるので、より安定した素子分離を実現できる半導体装置を提供することができる。
【００３５】
また、導体膜１１が閉曲線を描く帯状に形成される場合（図３Ａおよび図３Ｂの構成）には、フィールド絶縁膜１０上の領域において、素子分離ウェル７の直上には導体膜１１が必ず配置されている。したがって、素子分離ウェル７と低電圧配線２８，２９および高電圧配線３０が交差していても、低電圧配線２８，２９および高電圧配線３０による電界を導体膜１１によって良好に終端させることができる。
【００３６】
その結果、低電圧配線２８，２９および高電圧配線３０の配線規則に依らず、素子分離ウェル７におけるフィールド反転の発生を抑制することができるので、設計規則の自由度をさらに高めることができる。その結果、半導体チップ面積を有効に活用することができ、半導体チップを高シュリンク化することができる。
次に、図４Ａ〜図４Ｈを参照して、半導体装置１の製造工程について説明する。
【００３７】
図４Ａ〜図４Ｈは、半導体装置１の製造工程の一例を説明するための断面図である。なお、図４Ａ〜図４Ｈは、それぞれ図２に対応している。
半導体装置１を製造するには、図４Ａに示すように、ｐ−型のシリコン基板４が用意される。次に、シリコン基板４の表面にｎ型の不純物とｐ型の不純物とが選択的に注入される。そして、たとえば１１００℃以上の温度下で、ｎ型の不純物を添加しながらシリコン基板４のシリコンをエピタキシャル成長させる。これにより、図４Ｂに示すように、シリコン基板４とｎ−型エピタキシャル層５とを含むエピタキシャル基板４５が形成される。
【００３８】
シリコン基板４のエピタキシャル成長に際して、シリコン基板４に注入されたｎ型の不純物およびｐ型の不純物は、ｎ−型エピタキシャル層５の成長方向に拡散する。これにより、シリコン基板４とｎ−型エピタキシャル層５との境界を跨ぐ埋め込み層６とｐ−型ローアイソレーション領域９とが形成される。なお、ｐ型の不純物としては、たとえば、Ｂ（ホウ素），Ａｌ（アルミニウム）等を挙げることができ、ｎ型の不純物としては、たとえば、Ｐ（リン），Ａｓ（砒素）等を挙げることができる。
【００３９】
次に、図４Ｃに示すように、ｐ＋型ウェル領域８を形成すべき領域に選択的に開口を有するイオン注入マスク（図示せず）がｎ−型エピタキシャル層５上に形成される。そして、当該イオン注入マスクを介してｐ型の不純物がｎ−型エピタキシャル層５に注入される。これにより、ｐ＋型ウェル領域８とｐ−型ローアイソレーション領域９との２層構造からなる素子分離ウェル７が形成される。素子分離ウェル７が形成された後、イオン注入マスクは除去される。
【００４０】
次に、フィールド絶縁膜１０，１２を形成すべき領域に選択的に開口を有するハードマスク３２がｎ−型エピタキシャル層５上に形成される。そして、ハードマスク３２を介してｎ−型エピタキシャル層５の表面に熱酸化処理が施されてＬＯＣＯＳ膜からなるフィールド絶縁膜１０，１２が形成される。その後、ハードマスク３２は除去される。
次に、図４Ｄに示すように、ｎ−型エピタキシャル層５の表面に熱酸化処理が施されてゲート絶縁膜１８が形成される。このとき、ゲート絶縁膜１８はフィールド絶縁膜１０，１２と連なるように形成される。次に、導体膜１１およびゲート電極１９用のポリシリコンがｎ−型エピタキシャル層５上に堆積されて、ポリシリコン層３３が形成される。
【００４１】
次に、図４Ｅに示すように、導体膜１１およびゲート電極１９を形成すべき領域に選択的に開口を有するレジストマスク（図示せず）がポリシリコン層３３上に形成される。そして、当該レジストマスクを介してポリシリコン層３３の不要な部分がエッチングによって除去される。これにより、導体膜１１とゲート電極１９とが同時に形成される。なお、このとき、レジストマスクのレイアウトを変更するだけで、図３Ａ〜図３Ｃに示した各導体膜１１のレイアウトを得ることができる。その後、レジストマスクは除去される。
【００４２】
次に、ゲート絶縁膜１８の不要な部分を除去するため、選択的に開口を有するハードマスク（図示せず）がｎ−型エピタキシャル層５上に形成される。そして、当該ハードマスクを介してゲート絶縁膜１８の不要な部分にエッチング処理が施される。これにより、所定のゲート絶縁膜１８が形成される。ゲート絶縁膜１８を形成した後、ハードマスクは除去される。
【００４３】
次に、図４Ｆに示すように、ｎ−型ウェル領域１３とｐ−型ウェル領域１５とが形成される。ｎ−型ウェル領域１３を形成するには、まず、ｎ−型ウェル領域１３を形成すべき領域に選択的に開口を有するイオン注入マスク（図示せず）が形成される。そして、当該イオン注入マスクを介してｎ型の不純物がｎ−型エピタキシャル層５に注入される。これにより、ｎ−型ウェル領域１３が形成される。ｎ−型ウェル領域１３が形成された後、イオン注入マスクは、除去される。また、同様の手順で、ｐ−型ウェル領域１５を形成すべき領域に選択的に開口を有するイオン注入マスク（図示せず）が形成される。そして、当該イオン注入マスクを介してｐ型の不純物がｎ−型エピタキシャル層５に注入される。これにより、ｐ−型ウェル領域１５が形成される。ｐ−型ウェル領域１５が形成された後、イオン注入マスクは、除去される。
【００４４】
次に、ｐ−型ウェル領域１５の内方領域にｐ＋型不純物領域１６が形成される。ｐ＋型不純物領域１６を形成するには、まず、ｐ＋型不純物領域１６を形成すべき領域に選択的に開口を有するイオン注入マスク（図示せず）が形成される。そして、当該イオン注入マスクを介してｐ型の不純物がｐ−型ウェル領域１５に注入される。これにより、ｐ−型ウェル領域１５の内方領域にｐ＋型不純物領域１６が形成される。ｐ＋型不純物領域１６が形成された後、イオン注入マスクは、除去される。
【００４５】
次に、ｎ−型ウェル領域１３およびｐ−型ウェル領域１５の各内方領域にｎ＋型ドレイン領域１４およびｎ＋型ソース領域１７がそれぞれ選択的に形成される。ｎ＋型ドレイン領域１４およびｎ＋型ソース領域１７を形成するには、まず、ｎ＋型ドレイン領域１４およびｎ＋型ソース領域１７を形成すべき領域に選択的に開口を有するイオン注入マスク（図示せず）が形成される。そして、当該イオン注入マスクを介してｎ型の不純物がｎ−型ウェル領域１３およびｐ−型ウェル領域１５に注入される。これにより、ｎ＋型ドレイン領域１４およびｎ＋型ソース領域１７が形成される。ｎ＋型ドレイン領域１４およびｎ＋型ソース領域１７が形成された後、イオン注入マスクは、除去される。
【００４６】
次に、図４Ｇに示すように、導体膜１１およびゲート電極１９を覆うように絶縁材料が堆積されて第１層間絶縁膜２１が形成される。次に、第１層間絶縁膜２１を貫通するようにドレイン用コンタクト２３とソース用コンタクト２４を含む低電圧用コンタクトが形成されて、ｎ＋型ドレイン領域１４およびｎ＋型ソース領域１７とそれぞれ電気的に接続される。次に、ドレイン用コンタクト２３とソース用コンタクト２４を覆うように第２層間絶縁膜２５および第３層間絶縁膜２７がこの順で第１層間絶縁膜２１上に形成される。
【００４７】
次に、図４Ｈに示すように、ドレイン用コンタクト２３とソース用コンタクト２４と電気的に接続されるドレイン配線２８、ソース配線２９を含む低電圧配線（図１参照）が第３層間絶縁膜２７上に選択的に形成される。低電圧配線２８，２９を形成するには、低電圧配線２８，２９を形成すべき領域に所定の開口を有するレジストマスクを形成する。そして、当該レジストマスクを介して電極材料を堆積させることによって、低電圧配線２８，２９を形成することができる。
【００４８】
次に、低電圧配線２８，２９を覆うように第４層間絶縁膜３６が第３層間絶縁膜２７上に形成される。次に、第４層間絶縁膜３６上に、高電圧素子領域３と電気的に接続される高電圧配線３０が形成される。以上の工程を経て、第１実施形態に係る半導体装置１が製造される。
以上のように、半導体装置１の製造方法によれば、ＤＭＯＳ３５のゲート電極１９を形成する工程と同一の工程で導体膜１１を形成することができる。すなわち、半導体装置１の製造工程（図４Ｅ参照）においてレジストマスクのレイアウトを変更するだけでＤＭＯＳ３５のゲート電極１９と導体膜１１とを形成することができる。よって、新たな製造工程を追加する必要がないので、工程数の増加を防止することができる。
【００４９】
また、図４Ｅの製造工程時において、素子分離ウェル７の延びる方向に関して、導体膜１１の長さを交差部３１の長さＬ１以上に形成することによって（図３Ａ〜図３Ｃ参照）、素子分離ウェル７の延びる方向に沿って低電圧配線２８，２９および高電圧配線３０の位置ずれ（アライメントずれ）が生じても、導体膜１１と低電圧配線２８，２９および高電圧配線３０とを確実に交差させることができる。その結果、交差部３１におけるフィールド絶縁膜１０の直下の素子分離ウェル７でのフィールド反転の発生を効果的に抑制することができる半導体装置１を製造することができる。
【００５０】
次に、図５を参照して、本発明の第２実施形態の半導体装置４１について説明する。図５は、本発明の第２実施形態に係る半導体装置４１の模式的な断面図である。
第２実施形態に係る半導体装置４１が、前述の第１実施形態に係る半導体装置１と異なる点は、第１層間絶縁膜２１上に導体膜４２が形成されている点である。すなわち、フィールド反転を抑制するための導体膜は、フィールド絶縁膜１０の表面に接するように形成されている必要はなく、フィールド絶縁膜１０上の層間絶縁膜上に形成されていてもよい。その他の構成は、前述の第１実施形態に係る半導体装置１と同様の構成である。図５において、前述の図２に示された各部と対応する部分には同一の参照符号を付して、説明を省略する。
【００５１】
導体膜４２は、この実施形態では、第１層間絶縁膜２１上にドレイン用コンタクト２３およびソース用コンタクト２４と同一の層に形成されている。このとき、導体膜４２は、第１層間絶縁膜２１およびフィールド絶縁膜１０を介して素子分離ウェル７と対向している。導体膜４２のレイアウトとしては、前述の第１実施形態の図３Ａ〜図３Ｃで説明した各レイアウトと同様のレイアウトを適用することができる。
【００５２】
導体膜４２は、たとえば、ドレイン用コンタクト２３およびソース用コンタクト２４と同一材料および同一膜厚で形成されている。導体膜４２の材料としては、たとえば、アルミニウム、銅、タングステン等を挙げることができ、また、その膜厚は、たとえば、０．４μｍ〜２．０μｍである。導体膜４２は、たとえば、ソース配線２９と同電位（たとえば、グランド電位）に固定されている。この場合、導体膜４２は、ソース配線２９と一体的に連なるように形成されていてもよい。
【００５３】
以上のように、第２実施形態に係る半導体装置４１によっても、前述の第１実施形態に係る半導体装置１と同様の効果を奏することができる。
また、半導体装置４１では、低電圧用コンタクト２３，２４を形成する工程と同一工程で導体膜４２を形成することができる。すなわち、半導体装置４１の製造工程（図４Ｈの工程参照）においてレジストマスクのレイアウトを変更するだけで低電圧用コンタクト２３，２４と導体膜４２とを形成することができる。よって、新たな製造工程を追加する必要がないので、工程数の増加を防止することができる。
【００５４】
次に、図６を参照して、本発明の第３実施形態に係る半導体装置５１について説明する。
図６は、本発明の第３実施形態に係る半導体装置５１の模式的な平面図である。第３実施形態に係る半導体装置５１が、前述の第１実施形態に係る半導体装置１と異なる点は、高電圧配線３０に替えて、高電圧配線５２が形成されている点である。その他の構成は、前述の半導体装置１と同様である。図６において、前述の図１に示された各部と対応する部分には同一の参照符号を付して、説明を省略する。
【００５５】
高電圧配線５２は、低電圧素子領域２から一定の距離を空けた位置において、素子分離ウェル７に沿うように形成されている。
このように、素子分離ウェル７と高電圧配線５２とが交差しない構成によっても、高電圧配線５２からの電界による影響を導体膜１１によって軽減することができる。なお、この実施形態では、前述の第１実施形態と同様に、平面視四角環状に導体膜１１が形成されているが、導体膜１１は、少なくとも高電圧配線５２が形成されている領域に沿うように形成されていればよい。
【００５６】
より具体的には、図６のように、低電圧素子領域２から一定距離を空けて高電圧配線５２が形成される場合には、高電圧配線５２に隣接している素子分離ウェル７が電界の影響を受けやすい。したがって、少なくとも高電圧配線５２に隣接している素子分離ウェル７を覆うように、導体膜１１を形成すればよい。これにより、素子分離ウェル７におけるフィールド反転の発生を効果的に抑制することができる。
【００５７】
次に、図７を参照して、本発明の第４実施形態に係る半導体装置６１について説明する。
図７は、本発明の第４実施形態に係る半導体装置６１の模式的な平面図である。第４実施形態に係る半導体装置６１が、前述の第１実施形態に係る半導体装置１と異なる点は、高電圧配線３０に替えて、高電圧配線６２が形成されている点である。その他の構成は、前述の半導体装置１と同様である。図７において、前述の図１に示された各部と対応する部分には同一の参照符号を付して、説明を省略する。
【００５８】
高電圧配線６２は、フィールド絶縁膜１０が形成されている領域に沿って、フィールド絶縁膜１０の一部を完全に覆うように形成されている。つまり、高電圧配線６２は、フィールド絶縁膜１０が形成された領域（素子分離ウェル７が形成された領域）に倣って、フィールド絶縁膜１０を覆うように形成されている。
このような構成によっても、高電圧配線６２からの電界による影響を導体膜１１によって軽減することができる。なお、この実施形態では、前述の第１実施形態と同様に、平面視四角環状に導体膜１１が形成されているが、導体膜１１は、少なくとも高電圧配線６２と素子分離ウェル７とが対向する領域に形成されていればよい。したがって、導体膜１１は、高電圧配線６２が形成されている領域の直下のフィールド絶縁膜１０上に高電圧配線６２と対向するように形成されていればよい。
【００５９】
これにより、高電圧配線６２がフィールド絶縁膜１０が形成された領域に沿って、フィールド絶縁膜１０の一部を完全に覆うように形成されている場合であっても、素子分離ウェル７におけるフィールド反転の発生を確実に抑制することができる。
以上、本発明の実施形態を説明したが、本発明は、他の形態で実施することもできる。
たとえば、前述の第１実施形態では、導体膜１１がフィールド絶縁膜１０の中央部上に形成された構成を示しているが、導体膜１１は、素子分離ウェル７におけるフィールド反転を抑制できる範囲で、素子分離ウェル７が形成された領域の一部または全部を覆うように形成されていれば、高電圧配線３０の延びる方向にずれた位置に形成されていてもよい。
【００６０】
また、前述の第１〜第４実施形態では、半導体素子の一例としてＤＭＯＳ３５が低電圧素子領域２に形成された構成について説明したが、これに限定されるものではない。したがって、ＤＭＯＳ３５の他に、ＣＭＯＳ（Complementary MOS），ＢＪＴ（BipolarJunctionTransistor），ＩＧＢＴ（Insulated Gate Bipolar Transistor），ＪＦＥＴ（Junction Field Effect Transistor）、コントロールゲートおよびフローティングゲートを有する不揮発性メモリ等が形成された構成であってもよい。
【００６１】
また、低電圧素子領域２には、コンデンサ、抵抗等の各種回路素子が形成されていてもよい。さらに、これらの半導体素子および回路素子等の組み合わせによって、ＬＳＩ（Large Scale Integration）、ＳＳＩ（Small Scale Integration）、ＭＳＩ（Medium Scale Integration）、ＶＬＳＩ（Very Large Scale Integration）、ＵＬＳＩ（Ultra-Very Large Scale Integration）等の集積回路を構成していてもよい。
【００６２】
また、前述の第１〜第４実施形態では、ｐ型のシリコン基板４が形成されているが、導電型を反転させたｎ型のシリコン基板４が形成された構成であってもよい。この場合、他の不純物領域等の導電型も反転された構成となる。
その他、特許請求の範囲に記載された事項の範囲で種々の設計変更を施すことが可能である。
【００６３】
この明細書および図面から抽出される特徴の例を以下に示す。
［項１］低基準電圧を基準に動作する低電圧素子が形成された低電圧素子領域、および、前記低基準電圧よりも高い高基準電圧を基準に動作する高電圧素子が形成された高電圧素子領域を含む第１導電型の半導体層を、その表層部に有する半導体基板と、前記低電圧素子領域を区画し、かつ、前記高電圧素子領域から前記低電圧素子領域を電気的に分離するように前記半導体基板の表層部に形成された第２導電型の素子分離ウェルと、前記素子分離ウェルの表面を覆うフィールド絶縁膜と、前記半導体基板上に形成された層間絶縁膜と、平面視において前記低電圧素子領域を横切るように前記層間絶縁膜上に形成され、かつ、前記高電圧素子領域内の前記高電圧素子に電気的に接続された高電圧配線と、前記フィールド絶縁膜において前記高電圧配線と対向する領域を横切るように前記フィールド絶縁膜の上に形成され、かつ、前記低基準電圧に固定された導体膜とを含む、半導体装置。
【００６４】
この構成によれば、高電圧配線からの電界による影響を低基準電圧に固定された導体膜によって軽減することができる。具体的には、低基準電圧に固定された導体膜が素子分離ウェルよりも高電圧配線に近い位置に配置されているので、高電圧配線からの電界を、導体膜によって効果的に終端させることができる。これにより、高電圧配線からの電界によって素子分離ウェル中のイオンがフィールド絶縁膜の直下の領域に引き寄せられてフィールド反転が発生することを抑制することができる。その結果、素子分離ウェルを横切るリークパスが形成されてリーク電流が発生することを抑制できるので、より安定した素子分離を実現できる半導体装置を提供することができる。
【００６５】
したがって、高電圧配線をフィールド絶縁膜に近づけたり交差させたりすることができるので、高電圧配線の設計規則が緩やかになり、設計の自由度を高めることができる。その結果、半導体チップ面積を有効に活用することができ、半導体チップを高シュリンク化することができる。
高電圧素子領域に接続された高電圧配線の場合、低電圧素子領域に接続される配線に比べて当該高電圧配線による電界の大きさが相対的に大きくなるので、素子分離ウェルでのフィールド反転が生じやすい。したがって、この構成によれば、素子分離ウェル上のフィールド絶縁膜の近くを通過したり、フィールド絶縁膜と交差したりする高電圧配線が高電圧素子領域に接続されていて、比較的フィールド反転が生じやすい条件下でも、当該高電圧配線による電界を、導体膜によって効果的に終端させることができる。
【００６６】
高電圧配線が素子分離ウェルに交差している場合、交差していない場合に比べて当該高電圧配線と素子分離ウェルとの距離が短くなるので、素子分離ウェルは当該高電圧配線による電界の影響を受けやすくなってフィールド反転を生じやすい。したがって、この構成によれば、高電圧配線が素子分離ウェルに交差していて、比較的にフィールド反転が生じやすい条件下でも、当該高電圧配線による電界を、導体膜によって効果的に終端させることができる。さらに、高電圧配線を素子分離ウェルと交差させることによって、半導体チップ面積をより有効に活用することもできる。
【００６７】
［項２］平面視において前記フィールド絶縁膜を横切るように前記層間絶縁膜内に形成され、かつ、前記低電圧素子領域内の前記低電圧素子に電気的に接続された低電圧配線をさらに含み、前記導体膜は、前記フィールド絶縁膜において前記低電圧配線と対向する領域を横切るように前記フィールド絶縁膜の上に形成されている、項１に記載の半導体装置。
【００６８】
［項３］前記素子分離ウェルは、平面視において前記高電圧配線と交差する交差部を含み、前記素子分離ウェルが前記交差部で前記高電圧配線と交差する方向に関して、前記導体膜の長さが前記交差部の長さ以上である、項１または２に記載の半導体装置。  この構成によれば、高電圧配線の形成時に、素子分離ウェルの延びる方向に沿って高電圧配線の位置ずれ（アライメントずれ）が生じても、導体膜と高電圧配線とを確実に交差させることができる。そのため、交差部におけるフィールド絶縁膜の直下の素子分離ウェルでのフィールド反転の発生を効果的に抑制することができる。
【００６９】
［項４］前記素子分離ウェルは、平面視において前記高電圧配線と交差する交差部を含み、前記高電圧配線が前記交差部で前記素子分離ウェルと交差する方向に関して、前記導体膜の長さが前記交差部の長さよりも短い、項１〜３のいずれか一項に記載の半導体装置。
［項５］前記素子分離ウェルは、平面視において前記高電圧配線と交差する交差部を含み、前記高電圧配線が前記交差部で前記素子分離ウェルと交差する方向に関して、前記導体膜の長さが前記交差部の長さ以上である、項１〜３のいずれか一項に記載の半導体装置。  この構成によれば、高電圧配線の延びる方向において、フィールド絶縁膜を介して素子分離ウェルを導体膜によって完全に覆うことができる。これにより、フィールド絶縁膜の直下の素子分離ウェルでのフィールド反転の発生を効果的に抑制することができる。
【００７０】
［項６］前記素子分離ウェルが、前記低電圧素子領域の周縁に沿う帯状に形成されており、前記フィールド絶縁膜が、前記低電圧素子領域の周縁に沿う帯状に形成されており、前記導体膜が、前記低電圧素子領域の周縁に沿う帯状に形成されている、項１〜５のいずれか一項に記載の半導体装置。  この構成によれば、フィールド絶縁膜上の領域において、素子分離ウェルの直上には導体膜が必ず配置されている。したがって、素子分離ウェルに対する高電圧配線の位置関係が交差関係、近傍関係等いかなる場合であろうと、高電圧配線による電界を導体膜によって良好に終端させることができる。その結果、高電圧配線の配線規則に依らず、素子分離ウェルにおけるフィールド反転の発生を抑制することができるので、設計規則の自由度をさらに高めることができる。
【００７１】
［項７］前記素子分離ウェルが、前記低電圧素子領域を取り囲む環状に形成されており、前記フィールド絶縁膜が、前記低電圧素子領域を取り囲む環状に形成されており、前記導体膜が、前記低電圧素子領域を取り囲む環状に形成されている、項１〜６のいずれか一項に記載の半導体装置。
［項８］前記低電圧素子領域には、ＭＯＳトランジスタが前記低電圧素子として形成されており、前記導体膜は、前記ＭＯＳトランジスタのソースと同電位を成している、項１〜７のいずれか一項に記載の半導体装置。
【００７２】
［項９］前記導体膜が、前記ＭＯＳトランジスタのゲートと同じ層に前記ゲートと同じ材料で形成されている、項８に記載の半導体装置。  この構成によれば、ＭＯＳトランジスタのゲートを形成する工程と同一の工程で導体膜を形成することができる。すなわち、半導体装置の製造工程においてレジストマスクのレイアウトを変更するだけでＭＯＳトランジスタのゲートと導体膜とを同時に形成することができる。よって、新たな製造工程を追加する必要がないので、工程数の増加を防止することができる。
【００７３】
［項１０］前記ゲートおよび前記導体膜がポリシリコンからなる、項９に記載の半導体装置。
［項１１］前記層間絶縁膜が配線層を含み、前記導体膜が、前記配線層に配置された配線膜によって形成されている、項１〜１０のいずれか一項に記載の半導体装置。
【符号の説明】
【００７４】
１    半導体装置
２    低電圧素子領域
３    高電圧素子領域
４    シリコン基板
５    ｎ−型エピタキシャル層
７    素子分離ウェル
１０  フィールド絶縁膜
１１  導体膜
１２  フィールド絶縁膜
２１  第１層間絶縁膜
２５  第２層間絶縁膜
２７  第３層間絶縁膜
３０  高電圧配線
３１  交差部
３５  ＤＭＯＳ
３６  第４層間絶縁膜
４１  半導体装置
４２  導体膜
４５  エピタキシャル基板
５１  半導体装置
５２  高電圧配線
６１  半導体装置
６２  高電圧配線 
【図１】
2018011089.tif 000003
【図２】
2018011089.tif 000004
【図３Ａ】
2018011089.tif 000005
【図３Ｂ】
2018011089.tif 000006
【図３Ｃ】
2018011089.tif 000007
【図４Ａ】
2018011089.tif 000008
【図４Ｂ】
2018011089.tif 000009
【図４Ｃ】
2018011089.tif 000010
【図４Ｄ】
2018011089.tif 000011
【図４Ｅ】
2018011089.tif 000012
【図４Ｆ】
2018011089.tif 000013
【図４Ｇ】
2018011089.tif 000014
【図４Ｈ】
2018011089.tif 000015
【図５】
2018011089.tif 000016
【図６】
2018011089.tif 000017
【図７】
2018011089.tif 000018